(57)【要約】【課題】握り易さや持ち易さの改善に寄与する新規なボトル型容器を提供する。【解決手段】グリップ部３は、容器胴部２の周方向において、互いに対向した一対の部位を陥没させることによって、容器胴部２に一体形成されている。凹部３ａは、グリップ部３における親指と人差し指とによって把持される部位に設けられ、グリップ部３の表面を凹状に陥没させることによって形成されている。【選択図】図１
2010083516.tif 000002
【特許請求の範囲】
【請求項１】
ボトル型容器において、
容器胴部と、
前記容器胴部の周方向において、互いに対向した一対の部位を陥没させることによって、前記容器胴部に一体形成されたグリップ部と、
前記グリップ部の表面における親指と、人差し指若しくは中指とによって把持される部位に設けられた凹部と
を有することを特徴とするボトル型容器。
【請求項２】
前記凹部は、前記グリップ部の周方向に延在していることを特徴とする請求項１に記載されたボトル型容器。
【請求項３】
前記グリップ部の表面は、手の平の形状に沿って、下方に向かってスロープ状に隆起していることを特徴とする請求項１または２に記載されたボトル型容器。
【請求項４】
ボトル型容器において、
容器胴部と、
前記容器胴部の窄まった上部を付け根として前記容器胴部に連結されており、頂部が開口した筒状の首部と、
前記付け根から前記頂部に至る途中において、前記首部の側面から側方に向かって突出したフランジ部とを有し、
前記付け根と前記フランジ部の間隔は、親指と人差し指とによって首部を把持可能な間隔を有し、
前記フランジ部の下面は、前記首部の側面と曲面状に繋がっていることを特徴とするボトル型容器。
【発明の詳細な説明】
【技術分野】
【０００１】
本発明は、ボトル型容器の構造に関する。
【背景技術】
【０００２】
従来より、握り易さや持ち易さの改善を意図したボトル型容器が提案されている。例えば、特許文献１には、ピンチグリップ式ボトル型容器、すなわち、容器の胴部の周方向において、互いに対向した一対の部位を陥没させることによって、グリップが容器胴部に一体形成されたタイプにおいて、グリップの幅が上方または下方に向かって漸次に先細りになるようにした構成が開示されている。容器を取り扱う人の手の平のサイズは人によって異なるが、そのサイズに応じて握る部位を変えることで、万人にとって握り易いグリップを提供できる。また、特許文献２には、グリップを形成するための陥没した一対の凹部を、容器を把持する際の引っ掛かり部分を形成すべく、段差状に形成したピンチグリップ式ボトル型容器が開示されている。さらに、特許文献３には、瓶首部のフランジと瓶首付け根との間に親指と人差し指とを挿入して、親指と人差し指とで瓶首を掴むことができるようにしたプラスチック製容器が開示されている。
【０００３】
【特許文献１】特開２００２−２２５８３３号公報
【特許文献２】特開２００２−２２５８３１号公報
【特許文献３】実開昭５９−１２６８３２号公報
【発明の開示】
【発明が解決しようとする課題】
【０００４】
本発明の目的は、ボトル型容器において、握り易さや持ち易さの改善に寄与する新規なボトル型容器を提供することである。
【課題を解決するための手段】
【０００５】
かかる課題を解決すべく、第１の発明は、容器胴部と、グリップ部と、凹部とを有するボトル型容器を提供する。グリップ部は、容器胴部の周方向において、互いに対向した一対の部位を陥没させることによって、容器胴部に一体形成されている。凹部は、グリップ部の表面における親指と、人差し指若しくは中指とによって把持される部位に設けられている。
【０００６】
ここで、第１の発明において、凹部は、グリップ部の周方向に延在していてもよい。また、グリップ部の表面は、手の平の形状に沿って、下方に向かってスロープ状に隆起していてもよい。
【０００７】
第２の発明は、容器胴部と、筒状の首部と、フランジ部とを有するボトル型容器を提供する。首部は、容器胴部の窄まった上部を付け根として容器胴部に連結されており、頂部が開口している。フランジ部は、付け根から頂部に至る途中において、首部の側面から側方に向かって突出している。ここで、付け根とフランジ部の間隔は、親指と人差し指とによって首部を把持可能な間隔を有する。また、フランジ部の下面は、首部の側面と曲面状に滑らかに繋がっている。
【発明の効果】
【０００８】
第１の発明によれば、グリップ部を握ってボトル型容器を持ち運ぶ際、グリップ部の表面に設けられた凹部に、親指と、人差し指若しくは中指とがフィットして握り易いので、ボトル型容器が大容量化・大型化しても、持ち易いという効果がある。
【０００９】
また、第２の発明によれば、首部を握ってボトル型容器を持ち上げる際、フランジ部と首部とを繋ぐ曲面に親指と人差し指がフィットして握り易いので、ボトル型容器が大容量化・大型化しても、持ち上げ易いという効果がある。
【発明を実施するための最良の形態】
【００１０】
図１および図２は、本実施形態に係るボトル型容器の側面図である。このボトル型容器１は、グリップが容器に一体形成されたピンチグリップ型と呼ばれるタイプであり、本実施形態では、飲料、酒類、醤油等を入れる比較的大容量（２．７リットル、４リットル等）のものを想定している。周知のように、ボトル型容器１は、ポリエチレンテレフタレート、ポリブチレンテレフタレート、ポリエチレンナフタレート等の熱可塑性合成樹脂を用いた２軸延伸ブロー成形によって一体形成することができる。ボトル型容器１は、容器胴部２と、グリップ部３と、首部４とを主体に構成されている。
【００１１】
中空状の容器胴部２の上部は、上方に向かって徐々に縮径しており、その頂部に首部４が設けられている。この容器胴部２の表面には、容器強度の確保等のために、複数のリブが適宜設けられている他、一対の陥没部２ａも設けられている。これらの陥没部２ａは、容器胴部２の周方向において、互いに対向した一対の部位を陥没させることによって形成される。これらの陥没部２ａの形状は、左右対称であってもよいし、左右非対称であってもよい。また、陥没部２ａは、ブロー成形後に事後的に陥没させることによって形成することも可能だが、通常は、陥没部２ａと形状的に対応した突出部を有する金型を用いることで、ブロー成型時に同時形成される（この点は他の部位３〜５についても同様）。そして、一方の陥没部２ａから他方の陥没部２ａに至るまでの容器胴部２の外周面が、グリップ部３に相当する。図３および図４の横断面に示すように、容器胴部２に一体形成されたグリップ部３は、略Ω状の断面を有するとともに、略同一のグリップ幅で容器胴部２の上下に延在している。ボトル型容器１の持ち運びは、このグリップ部３を手で握ることによって行われる。
【００１２】
グリップ部３には、これを握った際のフィット感を高めるべく、凹部３ａが設けられている。この凹部３ａは、グリップ部３における親指と、人差し指（若しくは中指）とによって把持される部位に設けられ、グリップ部３の表面を凹状に陥没させることによって形成されている。この凹部３ａの具体的な形状を以下に２つ例示する。
【００１３】
図３は、凹部３ａの一例を示すＸ−Ｘ断面図である。凹部３ａは、グリップ部３の湾曲した外面に沿って設けられ、グリップ部３の周方向全域にわたって延在している。凹部３ａの溝形状や幅は、親指と人差し指（若しくは中指）とがフィットするように考慮した上で適宜設定される。同図の例では、凹部３ａがグリップ部３の周方向に略Ｃ字状に延在しているので、親指と人差し指（若しくは中指）とが全体的に凹部３ａ内に接触することになる。
【００１４】
図４は、凹部３ａの別の一例を示すＸ−Ｘ断面図である。凹部３ａは、グリップ部３の湾曲した外面に沿って設けられているが、図３の場合とは異なり、グリップ部３の周方向全域ではなく部分的に設けられている点が異なる。具体的には、親指と人差し指（若しくは中指）とを主体にグリップ部３を掴む際、これらの指で挟む力が最も加わる部位、すなわち、グリップ部３の両サイドにのみ凹部３ａが形成されている。
【００１５】
なお、図２の太線Ｆに示すように、グリップ部３の表面は、面一ではなく、下方に向かってスロープ状に隆起している。これにより、手の平の形状に沿った形状となり、グリップ部３を握った際のフィット感を高めることができる。
【００１６】
図５は、ボトル型容器１の上部を示す要部端面図である。円筒状の首部４は、容器胴部２の窄まった上部を付け根として容器胴部２に連結されている。この付け根から上方に向かって突出した首部４は、その頂部に開口した口部４ａを有するとともに、この口部４ａは、ボトル型容器１の内部空間と空間的に繋がっている。首部４の付け根から首部４の頂部に至る途中には、フランジ部５が設けられており、このフランジ部５は、首部４の側面から側方に向かって突出している。フランジ部５よりも上側に位置する上首部４ｂの表面（外面）には、図示しないキャップを取り付けるためのネジが形成されている。また、フランジ部５の下面は、ボトル型容器１を持ち上げる際の握り易さを考慮して、フランジ部５より下側に位置する下首部４ｃの表面（側面）と曲面状に繋がっている。下首部４ｃの下端は、容器胴部２に連結されているが、この付け根とフランジ部５の間隔Ｄは、親指と人差し指とによって首部を把持可能な間隔、例えば０．４ｃｍ〜２．０ｃｍ、好ましくは０．７ｃｍ〜１．８ｃｍ、より好ましくは１．０ｃm〜１．５ｃｍに設定されている。
【００１７】
このように、本実施形態によれば、図６に示すように、グリップ部３を握ってボトル型容器１を持ち運ぶ際、グリップ部３の表面に設けられた凹部３ａに親指と人差し指（若しくは中指）とがフィットして握り易く、かつ、ずれにくい。したがって、大容量・大型のボトル型容器１を持ち運ぶ場合に、持ち易いという効果がある。
【００１８】
また、本実施形態によれば、図７に示すように、容器胴部２の傾斜した上部に手（中指、薬指および小指）を当てがって首部４を握ってボトル型容器１を持ち上げる際、フランジ部５と下首部４ｃ（首部４の一部）とを繋ぐ曲面に親指と人差し指がフィットして握り易い。したがって、大容量・大型のボトル型容器１を梱包箱から取り出す場合に、持ち上げ易いという効果がある。
【図面の簡単な説明】
【００１９】
【図１】グリップ部正面から見たボトル型容器の側面図
【図２】グリップ部側面から見たボトル型容器の側面図
【図３】凹部の一例を示すＸ−Ｘ断面図
【図４】凹部の別の一例を示すＸ−Ｘ断面図
【図５】ボトル型容器の要部端面図
【図６】グリップ部を握ってボトル型容器を持ち運ぶ状態を示す図
【図７】首部を握ってボトル型容器を持ち上げる状態を示す図
【符号の説明】
【００２０】
１  ボトル型容器
２  容器胴部
２ａ  陥没部
３  グリップ部
３ａ  凹部
４  首部
４ａ  口部
４ｂ  上首部
４ｃ  下首部
５  フランジ部
【図１】
2010083516.tif 000003
【図２】
2010083516.tif 000004
【図３】
2010083516.tif 000005
【図４】
2010083516.tif 000006
【図５】
2010083516.tif 000007
【図６】
2010083516.tif 000008
【図７】
2010083516.tif 000009